(57)【要約】【課題】携帯端末において、操作部と表示部を平行に回転させる構成を有する場合、片手での操作がしずらいという問題を解決し、片手で、確実に、表示部の展開と画面の表示切り替えを行えるという優れた特性を持つ携帯端末を目的とする。【解決手段】操作部に対し表示部の回転を指示するスイッチ１を設け、モニター２の表示方向を表示部の角度に連動させる。スイッチ１を一回押すと、動作１の様に操作部３に対し表示部４は９０゜回転する。更にもう一回スイッチ１を押すと、表示部４は更に回転し操作部３に対し１８０゜の位置まで移動する構成を有することで、片手で確実に表示部を展開し、かつ表示方向を切り替えて使用できる携帯端末が得られる。【選択図】図３
2005323031.tif 000002
【特許請求の範囲】
【請求項１】
操作部を有した第１の筐体と、表示部を有し前記第１の筐体に対して回動自在に固定された第２の筐体とからなる携帯端末であって、前記第２の筐体を回動方向へ付勢している弾性手段と、前記弾性手段による前記第２の筐体の回動を規制する規制手段と、前記規制手段の規制状態を使用者の操作により解除する解除手段とを有し、前記解除手段を操作することで、前記規制手段の規制状態が解除され、前記第２の筐体が前記弾性手段の弾性力によって所定角度まで回動することを特徴とする携帯端末。
【請求項２】
表示部回転用のスイッチと、モニターと、操作部と、スイッチにより操作部に対し平行に回転する表示部を備えた携帯端末であって、スイッチを押す回数により、操作部に対し表示部を９０゜、１８０゜・・・と回転できる事を特徴とする携帯端末。
【請求項３】
表示部回転用のスイッチと、表示方向を変えられるモニターと、操作部と、スイッチにより操作部に対し平行に回転する表示部を備え、表示部の位置によってモニターの表示方向を縦、横と表示方向を切り替えることができることを特徴とする請求項２に記載の携帯端末。
【請求項４】
段階的に押し込むことのできるスイッチを備え、スイッチを数回押す代わりに浅く押すと９０゜、深く押し込むと１８０゜回転できることを特徴とする請求項２または請求項３に記載の携帯端末。
【発明の詳細な説明】
【技術分野】
【０００１】
本発明は、操作部と表示部を備えた携帯端末に関するものである。
【背景技術】
【０００２】
近年、携帯端末は電話機能、インターネット接続、電子メール等、多様な用途に使用されている。
【０００３】
以下に従来の携帯端末について説明する。
【０００４】
従来、操作部に対し表示部を回転させる携帯端末は特開２０３ー２２９９３６号公報に記載されたものが知られている。その携帯端末を図５に示す。図４は従来の携帯端末の外観図を示すものである。図５において、１はキーボード部である。２は表示部である。３は接合ヒンジである。、６は開閉操作のベストポイント領域である。Ｘは表示部の主軸である。Ｙはキーボード部の主軸である。Ｚは接合ヒンジの回転軸である。
【０００５】
以上のように構成された従来の携帯端末について、以下その動作について説明する。
【０００６】
まず、１、２を接合するヒンジの回転軸Ｚを１の主軸Ｙから表示画面と同一面内で４５度傾けた状態にすると２の主軸ＸはＹに対して９０度回転した状態で開かれる。従って１を縦に保持しても画面は横長になり見やすくなる。
【特許文献１】特開２００３−２２９９３６号公報
【発明の開示】
【発明が解決しようとする課題】
【０００７】
しかしながら上記の従来の構成では、画面の表示を切り替える為に表示部を回転させる際に片手での操作がしずらく、両手での操作が必要になるという問題点を有していた。
【０００８】
本発明は上記従来の問題点を解決するもので、片手で表示部の回転と画面の表示切り替えを簡単に行うことのできる携帯端末を提供することを目的とする。
【課題を解決するための手段】
【０００９】
この目的を達成するために本発明の携帯端末は、操作部を有した第１の筐体と、表示部を有し前記第１の筐体に対して回動自在に固定された第２の筐体とからなる携帯端末であって、前記第２の筐体を回動方向へ付勢している弾性手段と、前記弾性手段による前記第２の筐体の回動を規制する規制手段と、前記規制手段の規制状態を使用者の操作により解除する解除手段とを有し、前記解除手段を操作することで、前記規制手段の規制状態が解除され、前記第２の筐体が前記弾性手段の弾性力によって所定角度まで回動するものである。
【００１０】
この構成によって、スイッチ操作により片手で、確実に、表示部の展開と画面の表示切り替えを簡単に行える携帯端末が得られる。
【発明の効果】
【００１１】
以上のように本発明は、操作部に対する表示部の展開や、モニター上の表示方向の切換を、片手で確実に行うことができるという優れた効果が得られる。
【発明を実施するための最良の形態】
【００１２】
請求項１に記載の発明は、作部を有した第１の筐体と、表示部を有し前記第１の筐体に対して回動自在に固定された第２の筐体とからなる携帯端末であって、前記第２の筐体を回動方向へ付勢している弾性手段と、前記弾性手段による前記第２の筐体の回動を規制する規制手段と、前記規制手段の規制状態を使用者の操作により解除する解除手段とを有し、前記解除手段を操作することで、前記規制手段の規制状態が解除され、前記第２の筐体が前記弾性手段の弾性力によって所定角度まで回動するものである。
【００１３】
請求項２に記載の発明は、表示部回転用のスイッチと、モニターと、操作部と、スイッチにより操作部に対し平行に回転する表示部を備えた携帯端末であり、片手で表示部の展開を簡単に行えるという作用を有する。
【００１４】
請求項３に記載の発明は、表示方向を変えられるモニターを備えた請求項１に記載の携帯端末であり、スイッチの操作により、モニター表示方向を横、縦と切り替えることができるという作用を有する。
【００１５】
請求項４に記載の発明は、段階的に押し込むことのできるスイッチを備えた物であり、スイッチを数回押す代わりに浅く押すと９０゜、深く押し込むと１８０゜回転できるという作用を有する。
【００１６】
以下、本発明の実施の形態について、図１〜図４、図６〜図１１を用いて説明する。
【００１７】
（実施の形態１）
図１は本発明の携帯端末の外観図であり、図１において、１は操作部に対し表示部の回転を指示する解除手段であるスイッチ、２は縦横に表示方向を切り替えることのできる表示手段であるモニター、３はキーボード等の入力手段を備える第１の筐体である操作部、４は操作部に対し平行に回転／回動可能な第２の筐体である表示部である。
【００１８】
図２は本発明の実施形態１における動作説明図である。図２において、１は操作部に対し表示部の回転を指示するスイッチ、２はモニター、３はキーボード等の入力手段を備える操作部、４は操作部に対し平行に回転できる表示部である。
【００１９】
以上のように構成された携帯端末について、図２を用いてその動作の概要を説明する。まず、スイッチ１を一回押すと、動作１の様に操作部３に対し表示部４は９０゜の位置まで移動し、更にスイッチ１をもう一回押すと、１８０゜の位置まで移動するものである。
【００２０】
図６（ａ）は本発明の携帯端末の接合機構上面図である。図６（ａ）において、３は第１の筐体である操作部、４は第２の筐体である表示部、５は弾性手段である巻きばね、５１は表示部回転軸（中空）、５２は配線用同軸ケーブル、５３は表示部と回転軸の接合点、５４は表示部と回転軸の接合ばねである。
【００２１】
図６（ｂ）は本発明の携帯端末の接合機構断面図である。構成は図６（ａ）と同じである。
【００２２】
以下図６（ａ）、図６（ｂ）を用いて、操作部３と表示部４の接合機構について説明する。まず表示部回転軸５１の下部は操作部３に固定されている。上部は操作部３と水平に回転することができる。配線用同軸ケーブル５２は表示部回転軸５１の中を通り、操作部３と表示部４を結線しており信号のやりとりができる。長さに余裕を持たせ、表示部４が操作部３に対し回転しても支障のない様にする。表示部回転軸５１の上部には表示部と回転軸の接合点５３があり、これを軸に表示部４は操作部３に対し持ち上がることができる。持ち上げられた場合、表示部と回転軸の接合ばね５４により表示部４には操作部３側に引きつけられる力が働く。
【００２３】
次に巻きばね５の一端は表示部回転軸５１に、一端は表示部４に固定されている。巻きばね５が伸びた状態では操作部３に対し表示部４は１８０゜開いている。手動で操作部３に対し表示部４を０゜の位置まで移動すると、巻きばね５がまかれ、時計回り方向への回転力を持ったまま固定される。また回転軸５１は操作部３に対して回転が可能である。
【００２４】
図７（ａ）は本発明の携帯端末の回転機構上面図（０゜、固定時）である。図７（ａ）において、１はスイッチ、３は操作部、３４はガイド溝、３５，３６，３７は  ガイド穴、４４，４５，４６は操作部側電極である。
【００２５】
図７（ｂ）は本発明の携帯端末の回転機構断面図（０゜、固定時）である。図７―ａにおけるＡの位置での断面をとった物である。図７（ｂ）において、３は操作部、４は表示部、５は巻きばね、５１は表示部回転軸（中空）、５２は配線用同軸ケーブル、５３は表示部と回転軸の接合点、５４は表示部と回転軸の接合ばねである。
【００２６】
図７（ｃ）は本発明の携帯端末のプッシュ機構断面図（０゜、固定時）である。
図７（ｃ）において、１はスイッチ、３は操作部、４は表示部、３５ガイド穴、３８は操作部突起、４７は表示部突起である。
【００２７】
図８（ａ）は本発明の携帯端末の回転機構上面図（０゜、プッシュ時）である。
構成は図７（ａ）と同じである。図８（ｂ）は本発明の携帯端末の回転機構断面図（０゜、プッシュ時）である。構成は図７（ｂ）と同じである。図８（ｃ）は本発明の携帯端末のプッシュ機構断面図（０゜、プッシュ時）である。構成は図７（ｃ）と同じである。
【００２８】
図９（ａ）は本発明の携帯端末の回転機構上面図（９０゜、固定時）である。
構成は図７（ａ）と同じである。図９（ｂ）は本発明の携帯端末の回転機構断面図（９０゜、固定時）である。構成は図７（ｂ）と同じである。図９（ｃ）は本発明の携帯端末のプッシュ機構断面図（９０゜、固定時）である。構成は図７（ｃ）と同じである。
【００２９】
図１０（ａ）は本発明の携帯端末の回転機構上面図（９０゜、プッシュ時）である。構成は図７（ａ）と同じである。図１０（ｂ）は本発明の携帯端末の回転機構断面図（９０゜、プッシュ時）である。構成は図７（ｂ）と同じである。図１０（ｃ）は本発明の携帯端末のプッシュ機構断面図（９０゜、プッシュ時）である。構成は図７（ｃ）と同じである。
【００３０】
図１１（ａ）は本発明の携帯端末の回転機構上面図（１８０゜、固定時）である。構成は図７（ａ）と同じである。図１１（ｂ）は本発明の携帯端末の回転機構断面図（１８０゜、固定時）である。構成は図７（ｂ）と同じである。図１１（ｃ）は本発明の携帯端末のプッシュ機構断面図（１８０゜、プッシュ時）である。構成は図７（ｃ）と同じである。
【００３１】
以下図７〜図１１を用いて、操作部３に対し表示部４が任意の位置で固定される仕組みと、スイッチ１により操作部３に対し表示部４が回転を始める仕組みについて説明する。
【００３２】
操作部３の表面には、ガイド穴３５，３６，３７が図７（ａ）の様に配置されている。また表示部４の裏面には図７（ｃ）の様に突起４７が一つ配置されている。
【００３３】
図７（ａ）の様に操作部３と表示部４を閉じた状態（０゜）では、図７（ｃ）の様に表示部突起４７はガイド穴３５にかかり、操作部３と表示部４を固定している。
【００３４】
図８（ａ）の様に回転を指示する為スイッチ１を押し込むと、図８（ｃ）の様に操作部突起３８がせりあがり、表示部突起４７を押し上げる。同時に図８（ｂ）の様に表示部と回転軸の接合点５３を軸に表示部４がせりあがり、表示部と回転軸の接合ばね５４は伸ばされる為表示部４には操作部３側への張力が働いている。図８―ｂの表示部突起４７がガイド穴３５よりはずれると、巻きばね５の力により表示部４は回転を始める。ガイド穴３６も同様の状態だが、スイッチ１を離すことで操作部突起３８は元の位置に戻る。  また操作部には凹上のガイド溝３４があり、表示部突起４７はこれにそって動くため回転がぶれず安定して回転することができる。  
【００３５】
図９（ａ）の様に表示部突起４７がガイド穴３６の位置まで来る（９０゜回転）と、図９（ｂ）の様に接合ばね５４の力で表示部４は操作部３側に引きつけられ、図９（ｃ）の様に表示部突起４７はガイド穴３６にかかり、操作部３と表示部４は９０゜の角度で固定される。
【００３６】
図１０（ａ）の様に再びスイッチ１を押すと、図１０―ｂ，図１０―ｃの様にガイド穴３６で同様の動作が起こり、表示部４は回転を始め、図１１（ａ）の様に表示部突起４７がガイド穴３７の位置まで来る（１８０゜回転）。そして図１１（ｂ），図１１（ｃ）の様に固定される。
【００３７】
この様にして２段階で表示部４を回転することができる。またガイド穴３５，３６は同時に押し上げられているので、９０゜回転した時にスイッチ１を押したままであれば、そのまま１８０゜回転することもできる。
【００３８】
逆に閉じる場合は手動で表示部４を回転させる。表示部突起４７には閉じる方向にのみ傾斜が設けられているため、力を加えると表示部４が持ち上がりひっかかりがはずれる様に構成されている。
【００３９】
以上のように本実施の形態によれば、回転指示用のスイッチを設けることで、請求項１に示した様な片手でスイッチを複数回押すだけで操作部に対し表示部を任意の位置まで回転させて使用することができる。
【００４０】
なお、図１においては表示部は時計方向を開く方向としているが、逆でもよい。
【００４１】
（実施の形態２）
図３は本発明の実施形態２における動作説明図である。図３において、１は操作部に対し表示部の回転を指示するスイッチ、２は縦横に表示方向を切り替えることのできるモニター、３はキーボード等の入力手段を備える操作部、４は操作部に対し平行に回転できる表示部であり、以上は図１の構成と同様なものである。図１の構成と異なるのはモニター２を、表示部の回転に連動して縦横に表示方向を切り替えることができる様にした点である。
【００４２】
図４は本発明のブロック図である。図４において、１はスイッチ、２はモニター、３は操作部、３１は操作部側回転機構、３２は入力インターフェース、３３はＣＰＵ、４は表示部、４１は表示部側回転機構、４２は表示部位置検出装置、４３は表示制御装置である。
【００４３】
以上のように構成された携帯端末について、以下図３、図４を用いてその動作を説明する。  図３は本発明の実施形態２における動作説明図である。図３において、スイッチ１を一回押すと、動作１の様に操作部３に対し表示部４は９０゜回転する。この際、モニター２上の表示も同時に横長の表示となる。更にもう一回スイッチ１を押すと、表示部４は更に回転し操作部３に対し１８０゜の位置まで移動し、モニター２上の表示も縦長の表示にするものである。
【００４４】
以下図４のブロック図を用いて、回路の動作を詳しく述べる。まずスイッチ１を１回押すと操作部側回転機構３１に伝えられ、表示部側回転機構４１と連動して、操作部に対し表示部を９０゜の位置まで回転させる。この時表示部の位置を表示部位置検出装置４２で検出し、表示制御装置４３に伝える。表示制御装置４３は表示内容についてＣＰＵとやりとりをしながら、モニター２の表示方向を横長に切り替える。もう一度スイッチ１を押した場合も同様の経路でモニター２の表示方向を縦長に切り替える。なお、入力インターフェース３２の操作により、表示方向切換動作を無効にすることも可能である。
【００４５】
図７（ａ）は本発明の携帯端末の回転機構上面図（０゜、固定時）である。図７（ａ）において、１はスイッチ、３は操作部、３４はガイド溝、３５，３６，３７は  ガイド穴、４４，４５，４６は操作部側電極である。図８（ａ）は本発明の携帯端末の回転機構上面図（０゜、プッシュ時）である。構成は図７（ａ）と同じである。図９（ａ）は本発明の携帯端末の回転機構上面図（９０゜、固定時）である。構成は図７（ａ）と同じである。図１０（ａ）は本発明の携帯端末の回転機構上面図（９０゜、プッシュ時）である。構成は図７（ａ）と同じである。図１１（ａ）は本発明の携帯端末の回転機構上面図（１８０゜、固定時）である。構成は図７（ａ）と同じである。
【００４６】
以下図７（ａ）〜図１１（ａ）を用いて表示部位置検出装置の機構動作を説明する。表示部４の裏面には通電した電極がひとつあり、これは操作部３と表示部４が閉じた状態（０゜）では、図７（ａ）の様に操作部側電極４４と重なっている。つまり操作部側電極４４に通電している時は０゜の状態だと検出できる。次に図９―ａの様に表示部４が操作部３に対し９０゜回転した場合は表示部側電極は操作部側電極４５と重なる。つまり操作部側電極４５に通電している時は９０゜の状態だと検出できる。次に図１１（ａ）の様に表示部４が操作部３に対し１８０゜回転すると、表示部側電極は操作部側電極４６と重なる。つまり操作部側電極４６に通電している時は１８０゜の状態だと検出できる。
【００４７】
表示部電極は表示部突起４７と回転軸に対して反対側に配置することで、プッシュ操作により表示部が浮き上がった時も安定して検出することができる。  
【００４８】
以上のように本実施の形態によれば、回転指示用のスイッチによる表示部の回転と、モニター表示方向を連動させることで、請求項２に示した様な片手でスイッチを複数回押すだけで操作部に対し表示部を任意の位置まで回転させ、同時にモニター上の表示を切り替えて使用することができる。これにより、横長の方が見易いＷｅｂ表示や、縦長の方が操作し易い電子メール操作等を片手で切り替えて使用することができる。
【００４９】
（実施の形態３）
図１において、スイッチ１を段階的に押し込むことが可能な物にする。以下図３を用いてその動作を説明する。まず、スイッチ１を浅く押すと、動作１の様に操作部３に対し表示部４は９０゜回転する。この際、モニター２上の表示も同時に横長の表示となる。深くスイッチ１を押すと、表示部４は操作部３に対し１８０゜の位置まで回転し、モニター２上の表示も縦長の表示にする。一旦９０゜回転した状態からも、深く押し込むことで１８０゜まで回転させることができる。回路の詳しい動作については、図４における実施形態２の説明と同様であるため、省略する。
【００５０】
次に図７（ａ）において段階的に押し込む為の機構の説明をする。スイッチ１の内部は二股に分かれており、ガイド穴３５と３６にむかって伸びている。この長さを、ガイド穴３５に向かう側をガイド穴３６に向かう側に対して長くとり、先にガイド穴３５に到達する様にする。こうすることでスイッチ１がガイド穴３５に到達し表示部４が操作部３に対し９０゜回転した後で、更にスイッチ１を押し込むことでガイド穴３６に到達し、表示部４が操作部３に対し１８０゜回転させることができる。
【００５１】
以上のように本実施の形態によれば、請求項３に示した様に片手でスイッチの押し具合を浅く押すか、深く押し込むか調整するだけで、操作部に対し表示部を任意の位置まで回転させ、同時にモニター上の表示を切り替えて使用することができる。これにより、横長の方が見易いＷｅｂ表示や、縦長の方が操作し易い電子メール操作等を片手で切り替えて使用することができる。
【産業上の利用可能性】
【００５２】
本発明は、電話機能、インターネット接続、電子メール等、多様な用途に使用可能な携帯端末に関するものであり、その利用範囲として携帯電話やＰＤＡなどが考えられるが、他にも様々な用途に利用可能である。
【図面の簡単な説明】
【００５３】
【図１】本発明の携帯端末の外観を示す平面図
【図２】同実施の形態１における携帯端末の動作説明をするための模式図
【図３】本発明の実施の形態２における携帯端末の動作説明をするための模式図
【図４】本発明のブロック図
【図５】従来の携帯端末の外観を示す平面図
【図６】（ａ）本発明の携帯端末の接合機構上面図（ｂ）本発明の携帯端末の接合機構断面図
【図７】（ａ）本発明の携帯端末の回転機構上面図（０゜、固定時）（ｂ）本発明の携帯端末の回転機構断面図（０゜、固定時）（ｃ）本発明の携帯端末のプッシュ機構断面図（０゜、固定時）
【図８】（ａ）本発明の携帯端末の回転機構上面図（０゜、プッシュ時）（ｂ）本発明の携帯端末の回転機構断面図（０゜、プッシュ時）（ｃ）本発明の携帯端末のプッシュ機構断面図（０゜、プッシュ時）
【図９】（ａ）本発明の携帯端末の回転機構上面図（９０゜、固定時）（ｂ）本発明の携帯端末の回転機構断面図（９０゜、固定時）（ｃ）本発明の携帯端末のプッシュ機構断面図（９０゜、固定時）
【図１０】（ａ）本発明の携帯端末の回転機構上面図（９０゜、プッシュ時）（ｂ）本発明の携帯端末の回転機構断面図（９０゜、プッシュ時）（ｃ）本発明の携帯端末のプッシュ機構断面図（９０゜、プッシュ時）
【図１１】（ａ）本発明の携帯端末の回転機構上面図（１８０゜、固定時）（ｂ）本発明の携帯端末の回転機構断面図（１８０゜、固定時）（ｃ）本発明の携帯端末のプッシュ機構断面図（１８０゜、プッシュ時）
【符号の説明】
【００５４】
１    スイッチ
２    モニター
３    操作部
３１    操作部側回転機構
３２    入力インターフェース
３３    ＣＰＵ
３４    ガイド溝
３５，３６，３７    ガイド穴
３８    操作部突起
４    表示部
４１    表示部側回転機構
４２    表示部位置検出装置
４３    表示制御装置
４４，４５，４６    操作部側電極
４７    表示部突起
５    巻きばね
５１    表示部回転軸（中空）
５２    配線用同軸ケーブル
５３    表示部と回転軸の接合点
５４    表示部と回転軸の接合ばね
【図１】
2005323031.tif 000003
【図２】
2005323031.tif 000004
【図３】
2005323031.tif 000005
【図４】
2005323031.tif 000006
【図５】
2005323031.tif 000007
【図６】
2005323031.tif 000008
【図７】
2005323031.tif 000009
【図８】
2005323031.tif 000010
【図９】
2005323031.tif 000011
【図１０】
2005323031.tif 000012
【図１１】
2005323031.tif 000013